(57)【要約】【課題】超音波ヘッドを肌に当てた際の感触を改善すると共に、従来周知の超音波振動子による振動効果に加えて、赤外線、特に赤外線の有する温熱効果に着目し、両者の効果をより高めることができるように開発した超音波美顔器を提供する。【解決手段】把持部２を有するケース３の頭部に突出面４ａを備えた超音波ヘッド４を設け、該超音波ヘッド４の内側に超音波振動子５を固設すると共に、該超音波ヘッド４の周囲に位置して複数個の赤外線発光ランプ６、６…を設け、該赤外線発光ランプからの光を超音波ヘッド４の周囲に設けられた透光カバー７を介して発するようにした。【選択図】図１
2004194850.tif 000002
【特許請求の範囲】
【請求項１】
把持部を有するケースの頭部に突出面を備えた超音波ヘッドを設け、該超音波ヘッドの内側に超音波振動子を固設すると共に、該超音波ヘッドの周囲に位置して複数個の赤外線発光ランプを設け、該赤外線発光ランプからの光を前記超音波ヘッドの周囲に設けられた透光カバーを介して発するようにしたことを特徴とする超音波美顔器。
【請求項２】
前記超音波振動子として強誘電体セラミックスが用いられていることを特徴とする請求項１記載の超音波美顔器。
【発明の詳細な説明】
【０００１】
【発明の属する技術分野】
本発明は、超音波の振動効果を利用して新陳代謝を良くし、細胞を活性化することによって肌のシミや皺を除去又は予防するようにした超音波美顔器に関する。
【０００２】
【従来の技術】
従来から超音波振動子を利用した健康器具或は美容器具が開発されている。なかでも、超音波振動子を利用した美容器具は、主に肌のシミや皺等をとるための美顔用として利用されており、エステサロン等における業務用の大型機器として開発されているほか、一般ユーザー向けにも簡易的な構造のものが開発されている。
【０００３】
このような美容器具は、超音波振動子から発せられる超音波振動を利用している。即ち、超音波の微細振動で細胞に刺激を与え、新陳代謝を促進すると共に、細胞を活性化し、細胞内の高水分を超音波振動でクラスター化（細分化）する。このように細分化された水分子は細胞膜をよく通り、細胞内の老廃物や有害物質の排泄を促すことができる。また、超音波の振動効果によって体内の老廃物が分解されると共に皮下脂肪の燃焼が促進され、さらに老廃物が体外に排出されることによって、皮下脂肪が体内に残り難い身体環境となるという効果を有する。
【０００４】
【発明が解決しようとする課題】
ところで、上記の超音波振動子は、エステサロン等で業務用の美顔器として種々利用されているが、一般ユーザー向けに開発されている美顔器の性能向上がさらに求められているため、近時においては、超音波振動の作用をより一層高めるように工夫されたものが開発されている。
【０００５】
その例としては、特開2000-233005に記載された発明「超音波美容器の振動プローブ」、或は特開2000-167009に記載された発明「超音波美容器」がある。
【０００６】
そのうち、特開2000-233005に記載された発明「超音波美容器の振動プローブ」は、超音波美容器のヘッドを振動モータによってバイブレーションさせることにより、超音波の美肌効果と洗浄効果をさらに高めるようにしたものである。
【０００７】
また、特開2000-167009に記載された発明「超音波美容器の振動プローブ」は、超音波振動による物理的刺激と直流電流或はパルス電流による電気的刺激を併用して美肌トリートメントを行うようにしたものである。
【０００８】
ところで、上記の従来技術においては、金属製の超音波ヘッドを肌に当てたときにひやりとする冷たい感触を与えることがあり、使用感のより一層優れたものが求められていた。
【０００９】
本発明は、以上の事情に鑑みてなされたもので、超音波ヘッドを肌に当てた際の感触を改善すると共に、従来周知の超音波振動子による振動効果に加えて、赤外線の有する温熱効果に着目し、両者の効果をより高めることができるように開発した超音波美顔器を提供することを目的とする。
【００１０】
【課題を解決するための手段】
上記の目的を達成するために、本発明の請求項１の超音波美顔器は、把持部を有するケースの頭部に突出面を備えた超音波ヘッドを設け、該超音波ヘッドの内側に超音波振動子を固設すると共に、該超音波ヘッドの周囲に位置して複数個の赤外線発光ランプを設け、該赤外線発光ランプからの光を前記超音波ヘッドの周囲に設けられた透光カバーを介して発するようにしたことを特徴とする。
【００１１】
また、本発明の請求項２の超音波美顔器は、請求項１において、前記超音波振動子とて強誘電体セラミックスが用いられていることを特徴とする。
【００１２】
【発明の実施の形態】
以下、本発明の実施例について図面を参照しながら説明する。
【００１３】
本発明による超音波美顔器１は、図１に示すように、把持部２を有するケース３の頭部（ヘッド部８）に突出面４ａを備えた超音波ヘッド４を設け、該超音波ヘッド４の内側に超音波振動子５（図３又は５参照）を固設すると共に、該超音波ヘッド４の周囲に位置して複数個の赤外線発光ランプ６、６…（図２参照）を設け、該赤外線発光ランプ６、６…からの光を超音波ヘッド４の周囲に設けられた透光カバー７を介して発するようにしたものである。
【００１４】
このような超音波美顔器１の構成について詳細に述べると、装置全体のケース３は、図1に示すように把持しやすい外径を有する棒状の把持部２と該把持部２を延長した頭部の側面に膨出形状のヘッド部８を有するもので、図５に示すように把持部２を手で握り、超音波ヘッド４の突出面４ａを肌に当てて使用するものである。
【００１５】
ケース３は、図２に示すように、前ケース３aと後ケース３ｂに分割され、後ケース３ｂは下端部３ｃに分割され、これらは不図示のネジ或は係止片等で固定されることによって図１に示す形状に形成される。
【００１６】
本装置の内部構造においては、図２に示すように、ヘッド部８に超音波ヘッド４と、該超音波ヘッド４の下部に形成された環状部１２の外周ネジ１２ａに螺合されるリング状止めネジ１３（内側にネジ１３ａを有する）と、超音波ヘッド４の周囲に設けられる周形状の透光カバー７と、該透光カバー７の内側に設けられる複数の赤外線発光ランプ６、６…を備えた周形状基板１６とが収納され、その下方にケース内部の略全体を占める電子回路基板１０が設けられている。
【００１７】
これらの各部材の取付状況を説明すると、図３及び図４に示すように、前ケース３ａのヘッド部８には大径の取付穴１７が形成され、取付穴１７の内周上端付近に形成された係止突起１８の内周に沿って超音波ヘッド４の環状部１２が挿通される。
【００１８】
超音波ヘッド４はチタン、ステンレス、アルミニウム等による金属を用いて突出面４ａを有する形状に形成されている。この突出面４ａは、使用時において直接肌に触れる箇所であるため、円滑に仕上げられ、突出面４ａの外周は外径を拡大した形状にされている。
【００１９】
さらに、超音波ヘッド４の内側面には超音波振動子５が固設されている。この超音波振動子５は強誘電体セラミックスにより形成されている。該超音波振動子５には電子回路基板１０から導かれたコード２０ａが接続され、このコード２０ａを電子制御回路１０に接続することによって電子制御回路１０からの交番荷重を超音波振動子５に付与するようにしている。
【００２０】
このように超音波振動子５としてセラミックスを使用すると、超音波ヘッド４に対して面振動を発生するため、肌に当たる突出面４ａ全体が超音波振動を発生する。また、超音波振動子５として用いた強誘電体セラミックスに交番荷重が付与されると、セラミックスの圧電現象により、交番電圧の周波数にほぼ等しい振動が発生する。この周波数が２０ＫＨｚ以上となると超音波振動となり、この振動が超音波ヘッド４に付与されると、超音波振動が突出面４ａの全面に効率良く発生して、超音波ヘッド４の突出面４ａを当てた身体部位の皮下脂肪等に伝達される。
【００２１】
また、図５に示すように、上記の超音波ヘッド４の環状部１２を前ケース３ａのヘッド部８の取付穴１７に挿通し、取付穴１７の係止突起１８に超音波ヘッド４の外周下端部が係止された状態にして環状部１２の外周ネジ１２ａにリング状止めネジ１３のネジ部１３ａを螺合することによって、超音波ヘッド４をヘッド部８に固定状態にする。
【００２２】
一方、図２に示すように、前ケース３ａの取付穴１７の周囲には周状の凹溝２３が形成され、凹溝２３には周形状の透光カバー７が固定される。この透光カバー７は透光性を有する赤色の合成樹脂から成り、下端部の複数箇所には係止片７ａ、７ａ・・・を有し、図３に示すように、夫々の係止片７ａが溝内の係止穴２３ａに係止されることによって固定される。
【００２３】
また、取付穴１７の周囲に設けられた周状凹溝２３には所定間隔をあけて下方へ貫ける貫通孔２５が形成され、図３又は図４に示すように、夫々の貫通孔２５に下方から各赤外線発光ランプ６が挿通されている。この赤外線発光ランプ６はヘッド部８の周状凹溝２３の下部から不図示のネジで固定される周形状基板１６（図２参照）に設けられたものである。夫々の赤外線発光ランプ６は、赤外線を発するＬＥＤによって構成してもよい。
【００２４】
このような構成により、図４に示すように、各赤外線発光ランプ６がヘッド部８における超音波ヘッド４の周囲に取り付けられた透光カバー７の直下に設けられ、周形状基板１６の回路に接続されたコード２０ｂを電子制御回路１０に接続することによって通電された赤外線発光ランプ６、６…を発光し、透光カバー７を通して超音波ヘッド４の周囲から外方に向けて赤外線を発するようにしている。
【００２５】
このような構成により、赤外線発光ランプ６、６…と超音波振動子８とに通電すると、超音波ヘッド４の周囲の赤外線発光ランプ６、６…から赤外線が発せられ、その周内に位置する超音波ヘッド４が適度に昇温される。
【００２６】
さらに、図５に示すように超音波ヘッド４を当てた肌に赤外線による自己発熱作用が生じて皮膚の血行を良くし、細胞を活性化することができる。このような赤外線の温熱効果によって肌の毛穴が開き、これと同時に上記した超音波ヘッド４の超音波振動を付与することによって皮下脂肪等の浸透を高めることができ、細胞の新陳代謝を効率良く高めることができる。
【００２７】
図２に示すように、本実施例における電子制御回路１０には、不図示の電源アダプターからの電源コードのジャック２４（図１参照）を接続する電源端子２４ａが設けられている。また、電源スイッチとボリュームを兼ねたパワーコントローラ１９ａは回転ノブ１９に接続され、パワーコントローラ１９ａは電圧調整回路を経て振動子コントロール回路に導かれ、超音波振動子５の強さを調整することができる。
【００２８】
なお、図２において、ケース３の把持部２の上部に形成されたコントロール部２７ａに付着するコントロールシール２７には、電子回路基板１０に設けられた赤外線発光ランプ用スイッチ３０に連結ノブ３０ａを介して押圧作動するための押圧部３０ｂが設けられ、このスイッチ３０の操作によって、赤外線の発生と超音波振動子５の作動とを併用した状態で本装置を使用する場合と、超音波振動子５のみの作動によって本装置を使用する場合とを選択可能としている。
【００２９】
【発明の効果】
以上説明したように、本発明の超音波美顔器は、超音波ヘッドからの超音波振動子による超音波振動と超音波ヘッドの周囲に設けられた複数個の赤外線発光ランプからの赤外線との併用によって、従来の超音波振動のみの効果を超える相乗的な効果を得ることができる。
【００３０】
即ち、超音波ヘッドの周囲の赤外線発光ランプから赤外線が発せられ、その周内に位置する超音波ヘッドが適度に昇温されるため、従来の超音波ヘッドを肌に当てたときのひやりとした感触を解消することができ、使用感の優れた超音波美顔器を得ることができる。
【００３１】
また、超音波ヘッドを当てた肌に赤外線による自己発熱作用による温熱効果によって皮膚の血行を良くして細胞を活性化し、このような赤外線の温熱効果によって肌の毛穴が開き、これと同時に、上記した超音波ヘッドの超音波振動を付与することによって皮下脂肪等の浸透を高めることができ、細胞の新陳代謝を効率良く高め、肌のシミや皺を除去又は予防することができる。
【００３２】
このような本発明の超音波美顔器における赤外線による温熱効果は、従来のバイブレーションの振動や電気的な不快感がなく、むしろ肌に心地よい温熱効果を与え、超音波の微振動とあいまって、肌に心地よい使用感を与えることができる。
【００３３】
さらに、本発明の超音波美顔器はハンディタイプであり、その構成は簡易であって製造コストも安価であり、家庭等における手軽な器具として使用することが可能となる。
【図面の簡単な説明】
【図１】本発明による超音波美顔器の全体斜視図である。
【図２】本発明による超音波美顔器の分解斜視図である。
【図３】本発明による超音波美顔器のヘッド部の断面図であり、超音波ヘッドの取付け前の状況を示す。
【図４】本発明による超音波美顔器のヘッド部の断面図であり、超音波ヘッドの取付け後の状況を示す。
【図５】本発明による超音波美顔器の使用状況を示す図である。
【符号の説明】
１…超音波美顔器
２…把持部
３…ケース
３ａ…前ケース
３ｂ…後ケース
３ｃ…下端部
４…超音波ヘッド
４ａ…突出面
５…超音波振動子
６…赤外線発光ランプ
７…透光カバー
８…ヘッド部
１０…電子回路基板
１２…環状部
１２ａ…外周ネジ
１３…リング状止めネジ
１６…周形状基板
１７…取付穴
１８…係止突起
１９…回転ノブ
１９ａ…パワーコントローラ
２０…コード
２１…空隙
２３…凹溝
２４…ジャック
２４ａ…電源端子
２５…貫通孔
２６…周形状基板
２７…コントロールシール
２７ａ…コントロール部
３０…赤外線発光ランプ用スイッチ
３０ａ…連結ノブ
３０ｂ…押圧部
【図１】
2004194850.tif 000003
【図２】
2004194850.tif 000004
【図３】
2004194850.tif 000005
【図４】
2004194850.tif 000006
【図５】
2004194850.tif 000007